(57)【特許請求の範囲】
【請求項１】
第１のシグナリングシステムＮｏ．７（ＳＳ７）網および第２のＳＳ７網は相互に非コンパチブルなアドレッシング機構を用いており、そのような第１のＳＳ７網から第２のＳＳ７網へ信号を送信する方法であって、
前記方法は、前記第１のＳＳ７網において、前記第２のＳＳ７網内に配置されホームロケーションレジスタ（ＨＬＲ）（２０）に関連する移動局（３０）から国際移動加入者識別ＩＭＳＩ番号（１６０）を受信して前記移動局に関する加入者情報を格納するステップを含み、
前記方法は、
前記第１のＳＳ７網で受信した前記ＩＭＳＩ番号の先頭に前記第２のＳＳ７網に関連する特定の国番号（２１０）を付加するステップと、
前記受信したＩＭＳＩ番号の先頭に付加された前記国番号をルーティングアドレスとして使用して、前記第１のＳＳ７網から前記第２のＳＳ７網内の前記ＨＬＲへＳＳ７信号を送信するステップと、
を含むことを特徴とする方法。
【請求項２】
請求項１記載の方法であって、さらに、
前記第１のＳＳ７網を前記第２のＳＳ７網に接続する国際ゲートウェイ（３１０）において前記送信したＳＳ７信号を受信するステップと、
前記受信したＳＳ７信号から前記ＩＭＳＩ番号の先頭に付加された前記国番号を取り去るステップと、
前記ＩＭＳＩ番号を有する前記ＳＳ７信号を前記ルーティングアドレスとして前記第２のＳＳ７網を介して送信するステップと、
を含む方法。
【請求項３】
請求項１記載の方法であって、前記ＳＳ７信号はＭｏｂｉｌｅ  Ａｐｐｌｉｃａｔｉｏｎ  Ｐａｒｔ（ＭＡＰ）信号を含む方法。
【請求項４】
請求項１記載の方法であって、前記先頭に付加された国番号はＥ．１６４勧告に従って指定された国番号を含む方法。
【請求項５】
請求項１記載の方法であって、前記ＳＳ７信号を前記第１のＳＳ７網から前記第２のＳＳ７網へ送信する前記ステップは、さらに、前記ＩＭＳＩ番号の先頭に付加された前記国番号を有する前記ＳＳ７信号をシグナリングコネクシヨンコントロール部（ＳＣＣＰ）被呼者番号パラメータとして送信するステップを含む方法。
【請求項６】
請求項５記載の方法であって、前記先頭に付加するステップは、さらに、前記国番号が先頭に付加された前記ＩＭＳＩ番号の最下位桁（２００Ｂ）を切り捨て、その長さをＥ．２１４標準に従って１５桁にするステップを含む方法。
【請求項７】
請求項１記載の方法であって、前記第１のＳＳ７網は国際電気通信連合一電気通信ＩＴＵ−ＴベースＳＳ７網（１４０）を含む方法。
【請求項８】
請求項１記載の方法であって、前記第２のＳＳ７網は米国標準協会（ＡＮＳＩ）ベースＳＳ７網（１５０）を含む方法。
【請求項９】
国際移動加入者識別ＩＭＳＩ番号（１６０）を有し元々第２のシグナリングシステムＮｏ．７（ＳＳ７）綱に関連していて現在第１のシグナリングシステムＮｏ．７（ＳＳ７）網内をローミングしている移動局と、前記移動局から前記ＩＭＳＩ番号を受信し前記移動局に移動サービスを提供し前記第１のＳＳ７網内にある電気通信ノードとを含み、前記第１のＳＳ７網から前記第２のＳＳ７網へ信号を通信するシステムであって、
前記受信したＩＭＳＩ番号の先頭に前記第２のＳＳ７網に関連する国番号を付加する、前記通信ノードに関連した第１のケーションモジュール（３４０）を備え、前記電気通信ノードは前記ＩＭＳＩ番号の先頭に付加された国番号を被呼者番号として使用してＳＳ７信号を送信することを特徴とする、システム。
【請求項１０】
請求項９記載のシステムであって、さらに、
前記第１のＳＳ７網を前記第２のＳＳ７網に接続し前記第１のＳＳ７網から前記送信したＳＳ７信号を受信する国際ゲートウェイ（３１０）を含み、
前記国際ゲートウェイは、さらに、前記受信した被呼者番号から前記国番号を除去して前記ＳＳ７信号を前記第２のＳＳ７網を介して送信する第２のアプリケーションモジュール（３２０）を含む、システム。
【請求項１１】
請求項９記載のシステムであって、前記電気通信ノードは前記移動局を受け持つ移動交換局ＭＳＣ（１０）を含むシステム。
【請求項１２】
請求項９記載のシステムであって、前記第１のＳＳ７網はＥ．２１４標準をベースとしたＭｏｂｉｌｅ  Ｇｌｏｂａｌ  Ｔｉｔｌｅ（ＭＧＴ）（１７０）を使用して前記ＳＳ７信号をルーティングするシステム。
【請求項１３】
請求項９記載のシステムであって、前記第２のＳＳ７網はＥ．２１２標準をベースとした国際移動加入者識別ＩＭＳＩ番号（１６０）を使用して前記ＳＳ７イ言号をルーティングするシステム。
【請求項１４】
請求項９記載のシステムであって、前記国番号はＥ．１６４勧告に従って指定された国番号を含むシステム。
【請求項１５】
請求項９記載のシステムであって、前記ＳＳ７信号はＭｏｂｉｌｅ  Ａｐｐｌｉｃａｔｉｏｎ  Ｐａｒｔ（ＭＡＰ）信号を含むシステム。
【請求項１６】
請求項９記載のシステムであって、前記第１のＳＳ７網は国際電気通信連合−電気通信（ＩＴＵ−Ｔ）ベースＳＳ７網（１４０）を含むシステム。
【請求項１７】
請求項９記載のシステムであって、前記第２のＳＳ７網は米国標準協会（ＡＮＳＩ）ベースＳＳ７網（１５０）を含むシステム。
【請求項１８】
請求項９記載のシステムであって、前記第１のアプリケーションモジュールは前記国番号が先頭に付加された前記ＩＭＳＩ番号の最下位桁を切り捨てＥ．２１４標準に従った１５桁の長さとするシステム。
【請求項１９】
第１のシグナリングシステムＮｏ．７（ＳＳ７）網内の第１の電気通信ノードから第２のＳＳ７網内の第２の電気通信ノードへ信号を通信する方法であって、前記方法は、前記第１の電気通信ノードにおいて特定の移動局に関連する国際移動加入者識別ＩＭＳＩ番号を受信するステップ、前記第２のＳＳ７網を表すルーティング番号を決定するステップ、および前記ルーティング番号および前記ＩＭＳＩ番号を有するＳＳ７信号を前記ＳＳ７網を介して前記第２の網へ送信するステップを含み、
前記方法は、
前記ルーティング番号および前記ＩＭＳＩ番号を有する前記ＳＳ７信号を送信する前に前記ＩＭＳＩ番号の先頭に国番号を前記ルーティング番号として付加するステップと、
前記ＩＭＳＩ番号の先頭に付加された前記ルーティング番号を有する前記ＳＳ７信号を被呼者番号として送信するステップと、
を含むことを特徴とする、方法。
【請求項２０】
請求項１９記載の方法であって、さらに、
前記第１のＳＳ７網を前記第２のＳＳ７網に接続するゲートウェイにおいて前記送信したＳＳ７信号を受信するステップと、
前記受信したＳＳ７信号から前記ルーティング番号を除去するステップと、
前記ＩＭＳＩ番号を有する前記ＳＳ７信号を前記第２のＳＳ７網を介して前記第２の電気通信ノードへ送信するステップと、を含む方法。
【請求項２１】
請求項１９記載の方法であって、前記第１の電気通信ノードは前記移動局を受け持つ移動交換局ＭＳＣを含む方法。
【請求項２２】
請求項１９記載の方法であって、前記ルーティング番号はＥ．１６４勧告に従って指定された国番号を含む方法。
【請求項２３】
請求項１９記載の方法であって、前記先頭に付加するステップは、さらに、前記ルーティング番号が先頭に付加された前記ＩＭＳＩ番号の最下位桁を切り捨ててＥ．２１４標準に従った１５桁の長さとするステップを含む方法。
【請求項２４】
請求項１９記載の方法であって、前記第２の電気通信ノードは前記移動局に関連する移動加入者に関する加入者情報を格納するホームロケーションレジスタ（ＨＬＲＬ）（２０）を含む方法。
【請求項２５】
請求項１９記載の方法であって、前記第２のＳＳ７を表す前記ルーティング番号を決定する前記ステップは、さらに、前記移動局が前記第１のＳＳ７網に関連していないことを認識するステップを含む方法。
【請求項２６】
請求項１９記載の方法であって、前記第１のＳＳ７網は国際電気通信連合−電気通信（ＩＴＵ−Ｔ）ベースＳＳ７網（１４０）を含む方法。
【請求項２７】
請求項１９記載の方法であって、前記第２のＳＳ７網は米国標準協会（ＡＮＳＩ）ベースＳＳ７網（１５０）を含む方法。
【発明の詳細な説明】
発明の背景
発明の技術分野
本発明は電気通信網に関し、特にシグナリングシステムＮｏ．７（ＳＳ７）信号内のルーティングアドレス変換に関する。
関連技術の説明
移動局は新しい移動交換局（ＭＳＣ）カバレッジエリアへ進入したりそのユニットを最初にターンオンする時は常に、国際移動加入者識別（ＩＭＳＩ）番号として知られる関連する識別番号を受持ちＭＳＣへ送信することにより受持ちＭＳＣへの登録を試みる。次に、受持ちＭＳＣは移動局に関連する加入者情報を格納している特定のホームロケーションレジスタ（ＨＬＲ）と通信して、移動局の新しいロケーションのＨＬＲを知らせ必要な加入者情報をＨＬＲから検索する。したがって、受持ちＭＳＣ、ＨＬＲおよび接続する電気通信網は受持ちＭＳＣとＨＬＲとの間で信号を通信する機構を持たなければならない。例えば、北米および欧州にはそれ自体のシグナリングシステムＮｏ．７（ＳＳ７）網内の特定のＭＳＣとＨＬＲとの間で信号を通信するためのそれ自体の特定のアドレッシング機構がある。しかしながら、これら２つのアドレッシング機構間には一方のＳＳ７網内に位置するＭＳＣが他方のＳＳ７網内に位置するＨＬＲと通信するのを防止するある違いが存在する。
現在、北米ではＥ．２１２をベースとしたアドレッシング機構に従っているが、欧州ではＥ．２１４をベースとしたアドレッシング機構に従っている。Ｅ．２１２およびＥ．２１４は特定のＳＳ７電気通信網内で信号およびデータをルーティングするために国際電気通信網連合（ＩＴＵ）により公表されたアドレスフォーマットおよびシンタクスである。米国におけるＥ．２１２をベースとしたシステムの一例はパーソナル通信システム（ＰＣＳ）１９００電気通信網である。一方、欧州におけるＥ．２１４をベースとしたシステムの例はＧＳＭ（Ｇｌｏｂａｌ  Ｓｙｓｔｅｍ  ｆｏｒ  Ｍｏｂｉｌｅ）電気通信網である。ＰＣＳ網は移動局から受信するＩＭＳＩ番号（Ｅ．２１２）を使用して北米シグナリングシステムＮｏ．７（ＳＳ７）電気通信網内のＨＬＲへ信号をルーティングする。それに対して、ＧＳＭシステムでは受信したＩＭＳＩ番号をＭｏｂｉｌｅ  Ｇｌｏｂａｌ  Ｔｉｔｌｅ（ＭＧＴ，Ｅ．２１４）と呼ばれる別の番号へ修正し、ＭＧＴ番号を使用して欧州ＳＳ７電気通信網内のＨＬＲへ信号をルーティングする。
一方のＳＳ７網は他方のＳＳ７網により指定されるアドレス番号を処理する変換データを含んでいないため、北米ＳＳ７電気通信網では現在ＭＧＴ番号を使用する信号をルーティングすることができず、同様に欧州ＳＳ７電気通信網ではＩＭＳＩ番号を使用する信号をルーティングすることができない。したがって、米国のサービスプロバイダに関連する移動局が欧州の国へローミングする場合には、ネットワークシグナリングの観点からインコンパチビリティが存在する。欧州ＳＳ７電気通信網に関連する受持ちＭＳＣは米国内に位置するＨＬＲとＭＡＰ（Ｍｏｂｉｌｅ  Ａｐｐｌｉｃａｔｉｏｎ  Ｐａｒｔ）ベース信号を通信することができない。ロケーション更新手順を実施しなければ、ＨＬＲは移動局が現在どこに位置するかを知ることができず、受持ちＭＳＣにはローミング中の移動局へ要求された移動サービスを提供するのに必要な加入者情報（例えば、課金情報）が提供されない。
ＰＣＳおよびＧＳＭシステム間に存在する前記したアドレッシングインコンパチビリティを解決するためにいくつかの提案がなされている。１つの提案ではＩＭＳＩ（Ｅ．２１２）番号を使用する信号もルーティングするように欧州ＳＳ７電気通信網を変えることが示唆されている。この提案によりグローバルなコンパチビリティは確立されるであろうが、欧州ＳＳ７電気通信網内の関連する全ての信号転送点（ＳＴＰ）および信号処理ノードを多大なコストおよび労力をかけて修正しなければならない。たとえ、欧州の各国がこのような修正を行うことに同意しても、それは大事業となる。
したがって、既設のネットワークを大きく変更したり衝撃を与えることなく欧州ＳＳ７電気通信網から北米ＳＳ７電気通信網へＭＡＰベース信号をルーティングできるようにする機構が必要とされている。
英国特許出願ＧＢ２，２２８０，０８５Ａにおいて、マッコムは米国等のＡＭＰＳ／Ｄ−ＡＭＰＳ網への加入者がスマートカード付きハンドセットを使用してＧＳＭシステムのネットワーク内へローミングできるようにする方法を開示している。ＷＯ９５／２７３８２において、ラント等は加入者が少なくとも２つの異なる標準型ネットワークにおいて同種のサービスを受けられる、電気通信システム内の異種のネットワーク間のローミング装置を開示している。加入者が第１の標準化されたネットワークから第２の標準化されたネットワークへ移動した後で、加入者の位置を登録できる方法が開示されている。内山等はセルラー間標準ローミングサービスを作り出してＧＳＭ移動加入者がユーザアイデンティティモジュールによりＰＣＤネットワークオペレータ内へローミングできる短期解決策を開示している。
発明の要約
本発明は国際電気通信連合−電気通信網（ＩＴＵ−Ｔ）ベースシグナリングシステムＮｏ．７（ＳＳ７）網に関連する移動交換局（ＭＳＣ）から米国標準協会（ＡＮＳＩ）ベースＳＳ７網に関連するホームロケーションレジスタ（ＨＬＲ）へＭＡＰ（Ｍｏｂｉｌｅ  Ａｐｐｌｉｃａｔｉｏｎ  Ｐａｒｔ）ベース信号を通信する方法および装置を開示するものである。受持ちＭＳＣはＭＳＣカバレッジエリア内を現在ローミング中の移動局から国内移動加入者識別（ＩＭＳＩ）番号を受信する。本発明は前記した発明とは違っている。Ｅ．２１２標準に従ってフォーマット化されている受信ＩＭＳＩ番号を変換する替わりに、受持ちＭＳＣは受信したＩＭＳＩ番号の先頭にＡＮＳＩベースＳＳ７網に関連する国番号を付加する（ｐｒｅｐｅｎｄ）。結果的に得られる番号をＥ．２１４標準で規定された１５桁長へフォーマット化するために、その最下位桁が切り捨てられる。こうして得られるＥ．２１４番号をシグナリングコネクションコントロール部（ＳＣＣＰ）被呼者番号（ＣｄＰｎ）パラメータとして利用することにより、ＩＴＵ−Ｔベース電気通信網は、ＩＴＵ−Ｔベース電気通信網をＡＮＳＩベース電気通信網に接続する国際ゲートウェイへ信号をルーティングする。受持ちＭＳＣから送信される信号を受信した後で、国際ゲートウェイは先頭に付加された国番号を被呼者番号パラメータから除去しＩＴＵ−Ｔベース電気通信網を介して信号を送る。切り捨てが行われたＩＭＳＩ番号を利用して、ＡＮＳＩベース電気通信網はＨＬＲへＭＡＰベース信号をルーティングする。
【図面の簡単な説明】
添付図と共に下記の詳細説明を読めば、本発明の方法および装置をより完全に理解することができ、ここに、
図１は移動局を登録するホームロケーションレジスタ（ＨＬＲ）と通信する移動交換局（ＭＳＣ）を示すブロック図。
図２はシグナリングシステムＮｏ．７（ＳＳ７）電気通信網内のさまざまなレイヤを示すブロック図。
図３は国際電気通信連合−電気通信（ＩＴＵ−Ｔ）ベースＳＳ７網および米国標準協会（ＡＮＳＩ）ベースＳＳ７網により利用される異なるアドレッシング機構を示す線図。
図４はＩＴＵ−ＴベースＭＳＣによる国内移動加入者識別（ＩＭＳＩ）番号のＭＧＴ（Ｍｏｂｉｌｅ  Ｇｌｏｂａｌ  Ｔｉｔｌｅ）番号への変換を示す線図。
図５はＩＴＵ−ＴベースＭＳＣによりＡＮＳＩ関連ＩＭＳＩをＭＧＴ番号へ変換する時に存在する問題点を示す線図。
図６はＭＡＰ（Ｍｏｂｉｌｅ  Ａｐｐｌｉｃａｔｉｏｎ  Ｐａｒｔ）ベース信号のＩＴＵ−ＴベースＭＳＣからＡＮＳＩベースＨＬＲへの通信を示す線図。
図７はシグナリングコネクションコントロール部（ＳＣＣＰ）モジュールとインターフェイスしてＩＴＵ−ＴベースＳＳ７網とＡＮＳＩベースＳＳ７網間で通信される信号内の被呼者アドレスを変換する変換モジュールを示すブロック図。
図８は受信ＩＭＳＩの先頭に国番号を付加し、得られる番号の最下位桁を切り捨ててＥ．２１４標準に従わせることを示す線図。
図９は移動局とホームロケーションレジスタ（ＨＬＲ）間の信号の通信を示す信号系列図。
図面の詳細な説明
図１は移動局３０を登録するホームロケーションレジスタ（ＨＬＲ）２０と通信する移動交換局（ＭＳＣ）１０を示す一般的な移動網のブロック図である。移動局３０はそのユニットを初めてターンオンしたり新しいＭＳＣカバレッジエリア内へローミングする時は常に、格納された移動局識別番号を基地局コントローラ（ＢＳＣ）５０を介して受持ちＭＳＣ１Ｏへ送る。移動局識別番号は無線チャネル６０を介してＢＳＣ５０に接続された基地局へ送られ、次に受持ちＭＳＣ１Ｏへ送られる。新しく登録される移動局３０へ移動サービスを提供するために、受持ちＭＳＣ１Ｏはロケーション更新信号等のＭＡＰ（Ｍｏｂｉｌｅ  Ａｐｐｌｉｃａｔｉｏｎ  Ｐａｒｔ）ベース信号を信号リンクを介してＨＬＲ２０へ送信する。このような信号は現在移動局３０を受け持っているＭＳＣ１Ｏに関連するネットワークアドレスをＨＬＲ２０へ知らせ、かつローミング中の移動局３０へ移動サービスを提供するのに必要な加入者情報を要求する。ＨＬＲ２０はそのデータベースを更新して受持ちＭＳＣ１Ｏを表すネットワークアドレスを格納し、かつ要求する加入者情報をＭＳＣ１Ｏに関連するビジターロケーションレジスタ（ＶＬＲ、図１には図示されていないが通常ＭＳＣ１Ｏと一緒に配置される）へコピーする。ＨＬＲ２０内に格納された受持ちＭＳＣ１Ｏを表すネットワークアドレスは、移動局３０へ向けられた着信呼を後で移動網が受持ちＭＳＣ１Ｏへ再ルーティングするのに利用される。したがって、移動局総合デジタル通信網（ＭＳＩＳＤＮ）番号として知られる、移動局３０に関連するディレクトリ番号を電気通信網加入者がダイヤルする時は常に、ＨＬＲ２０は移動局３０の現在位置を確認するよう移動網により質問される。受持ちＭＳＣ１Ｏを表す格納されたネットワークアドレスを利用して、ＨＬＲ２０は質問信号の受信に応答して受持ちＭＳＣ１Ｏからのローミング番号を要求する。次に、受持ちＭＳＣ１Ｏから与えられるローミング番号は、受持ちＭＳＣ１Ｏへ向けて着信信号をルーティングするために電気通信網により使用される。次に、受持ちＭＳＣ１Ｏは移動局３０の無線呼び出しを行って移動局３０との音声接続を確立する。
ＧＳＭ（Ｇｌｏｂａｌ  Ｓｙｓｔｅｍ  ｆｏｒ  Ｍｏｂｉｌｅ）通信およびパーソナル通信システム（ＰＣＳ）の導入により、いくつかの先進的な加入者機能および応用が移動加入者へ提供される。このような機能の１つは移動局３０に取付け可能なＳＩＭカード４０である。ＳＩＭカード４０を使用すると、移動加入者はある移動加入者情報を取外し可能なメモリユニット内に格納してそれを任意の利用可能な移動局に自由に関連づけることができる。このような情報には移動加入者のＭＳＩＳＤＮ番号およびＩＭＳＩ番号が含まれる。移動加入者のＳＩＭカード４０を移動局３０へ挿入することにより、挿入したＳＩＭカード４０内に格納された加入者情報を移動加入者の新しい端末３０で利用することができる。その結果、移動加入者は同じＭＳＩＳＤＮ番号および加入者特徴データを維持しながら任意の利用可能な移動局を自由に利用することができる。
このようなＳＩＭカードアプリケーションの１例は国際ローミングである。ＰＣＳおよびＧＳＭは関連する移動局との通信に異なる周波数を利用するため、１９００ＭＨｚを利用するＰＣＳベース移動局は９００もしくは１８００ＭＨｚを利用するＧＳＭベース欧州移動網内では使用できない。しかしながら、米国サービスプロバイダーに関連するＳＩＭカードをＧＳＭベース欧州移動局へ挿入することにより、米国からの移動加入者は欧州サービスプロバイダーからの移動サービスを要求することができる。
ＰＣＳ移動加入者が自分のＳＩＭカード４０をＧＳＭ移動局３０へ取り付ける時は常に、欧州移動網内の受持ちＭＳＣ１Ｏは米国内に位置するＨＬＲ２０により前記したロケーション更新を実施しなければならない。しかしながら、２つのネットワーク間に存在するシグナリングコントロール接続部（ＳＣＣＰ）アドレッシング機構の違いにより、ＩＴＵ−Ｔベース（欧州）電気通信網に関連する受持ちＭＳＣ１Ｏは、現在ＡＮＳＩベース（北米）電気通信網に関連するＨＬＲ２０とＭＡＰベース信号を通信することができない。
図２は典型的なシグナリングシステムＮｏ．７（ＳＳ７）電気通信システム内の異なるレイヤを示すブロック図である。解放型システムインターフェイス（ＯＳＩ）のレイヤアーキテクチュアに従って、ＳＳ７電気通信システムも多数のシステムレイヤへ階層化される。基本的に、ＳＳ７は２つの部分を有し、ユーザ部およびメッセージ転送部である。メッセージ転送部（ＭＴＰ）８０はＳＳ７網システムの最下位レイヤでありネットワーク内の１つのポイントから別のポイントへ物理的にデータを移送するのに使用される。ユーザ部にはいくつかのバラエティがある。このようなユーザ部の例として基本的電話サービスのためのＴＵＰ（Ｔｅｌｅｐｈｏｎｅ  Ｕｎｄｅｒ  Ｐａｒｔ）１３０、および音声、データの組合せおよび音声サービスのための総合ディジタル通信網（ＩＳＤＮ）ユーザ部（ＩＳＵＰ）１２０が含まれる。これらのユーザ部もＭＴＰ８０を利用してコネクションレスであるが順序付けされた移送サービスを提供する。ＳＳ７網の最上位レイヤに常駐するアプリケーション１１０はＴＣＡＰ（Ｔｒａｎｓａｃｔｉｏｎ  Ｃａｐａｂｉｌｉｔｉｅｓ  Ａｐｐｌｉｃａｔｉｏｎ  Ｐａｒｔ）レイヤ１００、およびシグナリングコネクションコントロール部（ＳＣＣＰ）レイヤ９０を利用してアプリケーションレイヤデータをＭＴＰ８０を介して１つのアプリケーションから別のアプリケーションへ移送する。アプリケーションは、さらに、ＭＡＰ（Ｍｏｂｉｌｅ  Ａｐｐｌｉｃａｔｉｏｎ  Ｐａｒｔ）ベース信号等の、それ自体が所有するメッセージ信号を利用してＳＣＣＰレイヤ９０と直接インターフェイスしてアプリケーションレイヤデータを１つのアプリケーションから別のアプリケーションへ通信する。このような通信の実例としてＭＡＰベースロケーション更新信号のＭＳＣからＨＬＲへの通信が含まれる。
ＳＣＣＰ９０の目的はエンド−ツウ−エンドルーティングのための手段を提供することである。したがって、ＳＣＣＰ９０は特定の信号内の指定されたアドレスを処理して指定されたディスティネーション（宛先）へ適切にデータを送る。
このアドレッシング情報はシグナリング転送点（ＳＴＰ）等の各シグナリングポイントにおいて、ＭＴＰ８０がどの通信リンクを使用するかを決定するのに使用される。
図３は国際電気通信連合−電気通信（ＩＴＵ−Ｔ）ベースＳＳ７網１４０および米国標準協会（ＡＮＳＩ）ベースＳＳ７網１５０により利用される異なるアドレッシング機構を示す線図である。ＡＮＳＩベースである北米では、現在Ｅ．２１２およびＥ．１６４ベースＳＣＣＰアドレッシング機構に従っている。ＩＴＵ−Ｔベースである欧州ではＥ．２１４およびＥ．１６４ＳＣＣＰアドレッシング機構に従っている。Ｅ．２１２およびＥ．２１４は特定のＳＳ７電気通信網内で信号およびデータをルーティングするために国際電気通信連合（ＩＴＵ）により公表されたアドレスフォーマットおよびシンタクスである。特定のＳＳ７網内の関与する各シグナリング転送点（ＳＴＰ）が受信信号を最終ディスティネーションへ適切に配信するために受信被呼者アドレスを認識する変換データを含んでいる。しかしながら、ＩＴＵ−ＴベースＳＳ７網はＥ．２１２フォーマット化されたアドレスを処理する変換データを含んでいないため、現在ＩＴＵ−ＴベースＳＳ７網１４０内のＭＳＣはＡＮＳＩベースＳＳ７網１５０内のＨＬＲへＭＡＰベース信号を通信することができない。
移動局が初めてそのユニットをターンオンしたり新しいＭＳＣカバーレッジエリア内へローミングする時は常に、Ｅ．２１２標準に従った関連するＩＩＭＳＩ番号が受持ちＭＳＣへ送られる。北米内では、受持ちＭＳＣはＥ．２１２番号（ＩＭＳＩ）を受信してそれをＨＬＲとの通信に直接使用する。一方、欧州内では、受持ちＭＳＣは受信したＥ．２１２番号（ＩＭＳＩ）を修正してＥ．２１４に従った別の番号を発生する。ＭＧＴ（Ｍｏｂｉｌｅ  Ｇｌｏｂａｌ  Ｔｉｔｌｅ）番号として知られる新しく発生されるＥ．２１４番号は、次にＩＴＵ−ＴベースＳＳ７網内のＨＬＲと通信するためにＭＳＣにより使用される。
次に、ＩＴＵ−ＴベースＳＳ７網と関連する受持ちＭＳＣによるＥ．２１２ベースＩＭＳＩ番号１６０のＥ．２１４ベースＭＧＴ（Ｍｏｂｉｌｅ  Ｇｌｏｂａｌ  Ｔｉｔｌｅ）番号への変換を図４に示す。移動局がそのＩＭＳＩ番号１６０を送信することにより新しいＭＳＣに登録する時は常に、受持ちＭＳＣは受信したＩＭＳＩ番号をＭＧＴ番号１７０として知られるＥ．２１４番号へ修正する。受信するＩＭＳＩ番号１６０は基本的に３部分からなり、移動国番号（ＭＣＣ１８０，３桁）、移動ネットワークコード（ＭＮＣ１９０，２桁）および移動加入者識別番号（ＭＳＩＮ２００，最小１０桁）である。ＩＴＵ−ＴベースＭＳＣはＭＣＣ１８０を対応する国番号（ＣＣ）２１０へ変換しＭＮＣ１９０を対応するネットワークコード（ＮＣ）２２０へ変換することにより、受信したＩＭＳＩ番号１６０をＥ．２１４ベースＭＧＴ番号１７０へ変換する。ＭＳＩＮ２００はＥ．２１４ベースＭＧＴ番号に対しては同じままである。２つの番号間に一意的な１対１マッピングがあるため、Ｅ．２１２番号からＥ．２１４ベースＭＧＴ番号１７０へのこの変換はＩＴＵ−ＴベースＳＳ７電気通信網内で可能である。それは欧州電気通信網内には特定のネットワークコード（ＮＣ）と関連するサービスプロバイダーが１つしかないためである。しかしながら、北米電気通信網にはこのような１対１マッピングは存在せず、したがってＩＭＳＩ番号からコンパチブルなＭＧＴ番号への同様な変換は不可能である。
次に、ＩＴＵ−Ｔベース受持ちＭＳＣによりＡＮＳＩベースＩＭＳＩ番号がＭＧＴ番号へ修正される問に存在する変換問題を図５に示す。国番号２１０およびＭＳＩＮ２３０は各移動局およびその関連する国について一意的であるため、Ｅ．２１４ベースＭＧＴ番号についてＭＣＣ１８０およびＭＳＩＮ２００を対応するＣＣ２１０およびＭＳＩＮ２３０へ変換するのに問題はない。しかしながら、ＭＮＣ１９０は北米内の番号計画エリア（ＮＰＡ，エリアコードとして広く知られる）に類似しているため、ＡＮＳＩベースＩＭＳＩについて現在特定のＭＮＣ１９０とＮＣ２３０との間に１対１のマッピングは存在しない。それは北米、特に米国、内では通常特定のＮＰＡ内に２つ以上のネットワークプロバイダーがいるためである。各ネットワークプロバイダーには一意的なネットワークコードが割り当てられるため、ＭＮＣ番号１９０を解析するだけでは、受持ちＩＴＵ−ＴベースＭＳＣはＭＮＣ番号１９０をローミング中の移動加入者に関連する対応するＮＣへ変換することができない。このような変換問題により、米国からの移動加入者は自分のＳＩＭカードをＧＳＭベース移動局へ挿入して欧州移動サービスプロバイダーからの国際ローミングを要求することができない。
本発明の教示に従ったＩＴＵ−ＴベースＭＳＣ１ＯからＡＮＳＩベースＨＬＲ２０へのＭＡＰベース信号の通信を図６に示す。米国等のＡＮＳＩベース固からの移動加入者が自分のＳＩＭカード４０をＩＴＵ−Ｔベース移動局３０へ挿入する時は常に、移動局３０は格納されたＩＭＳＩ番号を取り付けられたＳＩＭカード４０から検索し、それを無線リンク６０を介して受持ちＭＳＣ１Ｏへ送る。次に、受持ちＭＳＣ１Ｏは移動局のＨＬＲ２０によりローケーション更新手順を実施してＨＬＲ２０に現在の移動局ローケーションを知らせかつＨＬＲ２０から必要な加入者情報を検索しようと試みる。受信したＩＭＳＩ番号の最初の３桁を解析することにより、受持ちＭＳＣ１Ｏは移動加入者がＡＮＳＩベース国に関連していることを確認する。その結果、前記したように受信したＥ．２１２ベースＩＭＳＩ番号をＥ．２１２ベースＭＧＴ番号へ変換するのではなく、受持ちＭＳＣ１Ｏ内のアプリケーションモジュール３４０は、受信したＩＭＳＩ番号の先頭に、対応する国番号（ＣＣ）を付加して新しいＥ．２１４ベース番号３００を作り出す。先頭に付加されたＣＣ番号はＥ．１６４勧告に明記されているようにＷｏｒｌｄ  Ｐｌａｎ  Ｃｏｍｍｉｔｔｅｅ  １９９８の提案に従っている。例えば、米国には（１）のＣＣ値が割り当てられている（アタッチメントＡ参照）。発生されたＥ．２１４番号は、次に、ＩＴＵ−ＴベースＳＳ７網１４０をＡＮＳＩベースＳＳ７網１５０に接続する国際ゲートウェイ３１０へＭＡＰベースローケーション更新信号をルーティングするためにＩＴＵ−ＴベースＳＳ７網１４０により利用される。したがって、発生されたＥ．２１４番号はアプリケーションレイヤ信号を最終ディスティネーション（宛先）へ配信するためのＳＣＣＰ被呼者番号（ＣｄＰｎ）パラメータとして利用される。ＩＴＵ−ＴベースＳＳ７網１４０に関連する関与する各ＳＴＰがＭＡＰ信号を受信し、先頭に付加されたＣＣを解析し、ＡＮＳＩベースＳＳ７網１５０に接続された国際ゲートウェイ３１０へ転送する。欧州の各国に北米との国際ゲートウェイ接続があるわけではないため、北米との国際ゲートウェイ接続を有する国が見つかるまで関与する各国はＭＡＰベース信号を近隣国へルーティングする。
ＭＡＰベース信号が国際ゲートウェイ３１０により受信されると、国際ゲートウェイ３１０内のアプリケーションモジュール３２０がＩＭＳＩ番号からＣＣを除去して、変換タイプ（ＴＴ）を（９）と指定して指定したＥ．２１２番号を使用してルーティングを実施すべきことを示す。
受信したＳＣＣＰ被呼者番号パラメータからＣＣを除去する他に、受信したＳＣＣＰパラメータのフォーマットおよびシンタクスをさらに修正しなければならない。ＡＮＳＩベースＳＣＣＰパラメータはＩＴＵ−ＴベースＳＣＣＰパラメータとは異なるデータ構造およびパラメータラベルを有するため、国際ゲートウェイ３１０は受信したＩＴＵ−ＴベースＳＣＣＰパラメータを再フォーマット化して認識可能なＡＮＳＩベースＳＣＣＰパラメータへ変換しなければならない。以後リンキスト出願と言う、１９９６年４月１０日に出願された米国特許出願第０８／６３０，３５５号（ＷＯ９７／３８５３７）“Ａ  Ｎｅｔｗｏｒｋ  Ｐｒｏｔｏｃｏｌ  Ｃｏｎｖｅｒｓｉｏｎ  Ｍｏｄｕｌｅ  Ｗｉｔｈｉｎ  Ａ  Ｔｅｌｅｃｏｍｍｕｎｉｃａｔｉｏｎ  Ｓｙｓｔｅｍ”にこのような再フォーマット化および変換手順が詳細に記載されている。
したがって、次に、ＩＴＵ−ＴベースＳＳ７網とＡＮＳＩベースＳＳ７網間で通信されるＭＡＰ信号内の被呼者アドレスを変換するＳＣＣＰモジュールとインターフェイスする変換モジュールを図７に示す。ＩＴＵ−ＴベースＭＴＰ３４０はＩＴＵ−ＴベースＳＳ７網からのアプリケーションレイヤ信号を物理的に移送してＩＴＵ−ＴベースＳＣＣＰモジュール３５０とインターフェイスさせる。ＩＴＵ−ＴベースＳＣＣＰモジュール３５０はＩＴＵ−ＴベースＭＴＯレイヤ３４０から信号を検索して、国際ゲートウェイ３１０内の変換アプリケーション３８０へ転送する。変換アプリケーション３８０は、その変換テーブルもしくはレジスタ内に格納されかつリンキスト出願に詳細に開示されている動的値に応答して、検索したＩＴＵ−ＴベースＳＣＣＰパラメータを対応するＡＮＳＩベースＳＣＣＰパラメータへ変える。変換したＡＮＳＩベースＳＣＣＰパラメータを有しまだ同じアプリケーションレイヤデータを含んでいる信号が、次にＡＮＳＩベースＳＳ７網へ送られディスティネーションアプリケーションノード（すなわち、ＨＬＲ）へ配信される。したがって、変換された信号はＡＮＳＩベースＳＳ７網ＳＣＣＰモジュール３６０とインターフェイスされる。次に、ＡＮＳＩベースＳＣＣＰモジュール３６０は信号をＡＮＳＩベースＭＴＰレイヤ３７０とインターフェイスさせてディスティネーションノードへ物理的に移送する。
全体変換およびインターフェイスプロセス中に、信号ヘッダー内のＳＣＣＰレイヤデータだけが変換モジュールにより処理され、アプリケーションレイヤデータを含む他の全てのデータは国際ゲートウェイ３１０を介してトランスペアレントに移送される。
次に、受信したＩＭＳＩ番号の先頭に国番号を付加してＥ．２１４番号を発生し、発生されたＥ．２１４番号の最下位桁を切り捨ててＥ．２１４標準に従わせる方法を図８に示す。（３）桁の最大長を有する国番号２１０を（１５）桁の長さを有する既存のＩＭＳＩに加えると、Ｅ．２１４標準により規定される最大（１５）桁の必要条件に違反する（１８）桁の全体長を有するＥ．２１４番号が生じる。本発明の教示に従って、新しく発生されるＥ．２１４番号の最下位桁は、結果的に得られるＥ．２１４番号の長さがＥ．２１４標準に従うように切り捨てられる。したがって、受信したＩＭＳＩ番号の先頭に付加されたＣＣの長さに応じて、結果的に得られるＥ．２１４番号の最下位３桁（２００Ｂ）までを切り捨てることができる。ＩＭＳＩ番号２００Ａの残部は、必要な加入者情報を現在格納しているＨＬＲを後にＡＮＳＩベースＳＳ７網が確認するのに使用される。
ＭＣＣ１８０およびＭＮＣ１９０はＣＣ２１０へ修正せずに連結される。
完全なＩＭＳＩ番号がなくても、ＡＮＳＩベースＳＳ７網内のＨＬＲへＭＡＰベース信号をルーティングすることができる。一連のＩＭＳＩ番号が特定のＨＬＲへ割り当てられるため、特定のＩＭＳＩ番号の最初の１２桁を解析することにより、ＡＮＳＩベースＳＳ７網は対応する国、ネットワークプロバイダー、およびそのネットワークプロバイダー内の特定のＨＬＲを確認することができる。ＭＡＰ信号が特定のＨＬＲへ配信されると、ＨＬＲはアプリケーションデータの一部として格納されている完全なＩＭＳＩ番号を解析することにより特定の移動加入者を確認する。受持ちＭＳＣにより送られるアプリケーションデータは変換中に国際ゲートウェイにより変えられることがないため、ＨＬＲはローミング中の移動加入者の正しいアイデンティティを確認するための完全なＩＭＳＩ番号へのアクセスを有する。
ＭＳＣ１ＯおよびＨＬＲ２０間のＭＡＰベース信号の通信を示す信号系列を図９に示す。前記したように、移動局３０は新しいＭＳＣカバーレッジ内へローミングする時は常に、Ｅ．２１２標準に従ってフォーマット化されたそのＩＭＳＩ番号を信号リンク４００を介して受持ちＭＳＣ１Ｏへ送信することにより、新しいＭＳＣ１Ｏへの登録を試みる。受信したＩＭＳＩがＡＮＳＩベース国に属することが認識されると、受持ちＭＳＣ１ＯはＥ．１６４勧告に明記されている対応するＣＣを受信したＩＭＳＩ番号の先頭に付加する。結果的に得られる番号の最下位桁がさらに切り捨てられてＥ．２１４標準に従うようにされる。次に、発生されたＥ．２１４番号はロケーション更新信号等のＭＡＰベース信号をＨＬＲ２０へ送信するために受持ちＭＳＣ１Ｏにより利用される。発生されたＥ．２１４番号は信号リンク４１０で示すように送信信号に対するＳＣＣＰパラメータ内の被呼著者号として利用される。戻り信号の適切な配信を容易にするために、受持ちＭＳＣ１Ｏを表すＥ．１６４番号が発呼吸者番号としてさらに含められる。
次に、送信したＭＡＰ信号はＩＴＵ−ＴベースＳＳ７網をＡＮＳＩベースＳＳ７網に接続する国際ゲートウェイ３１０へルーティングされる。本発明の教示に従って、国際ゲートウェイ３１０は受信したＥ．２１４番号からＣＣを削除し、受信したＩＴＵ−ＴベースＳＣＣＰパラメータをＡＮＳＩ標準に従うように再フォーマット化し、変換した信号を信号リンク４２０を介したＡＮＳＩベースＳＳ７網により送信する。Ｅ．１６４標準に明記された発呼吸者番号は国際ゲートウェイ３１０により修正されることはない。次に、ＭＡＰ信号はＡＮＳＩベースＳＳ７網により適切にＨＬＲ２０へルーティングされる。ロケーション更新手順を実施した後で、ＨＬＲ２０は受信した発呼吸者番号を被呼者番号として利用することにより、戻り信号を受持ちＭＳＣ１Ｏへ返送する。Ｅ．１６４標準をベースとしたアドレスはＡＮＳＩおよびＩＴＵ−Ｔベース網の両方でルーティングできるため、信号はさらに修正することなく受持ちＭＳＣ１Ｏへルーティングされる（信号リンク４３０および４４０）。ＨＬＲ２０を表すＥ．１６４番号がさらに戻り信号に対する発呼吸者番号として含まれ、受持ちＭＳＣ１ＯからＨＬＲ２０へのその後の信号の直接通信を容易にする。ロケーション更新確認信号等の戻り信号を受信した後で、受持ちＭＳＣ２０は登録成功を移動局３０に知らせ（信号リンク４５０）、移動サービスが提供される。
【図１】
0004037456.tif 000002
【図２】
0004037456.tif 000003
【図３】
0004037456.tif 000004
【図４】
0004037456.tif 000005
【図５】
0004037456.tif 000006
【図６】
0004037456.tif 000007
【図７】
0004037456.tif 000008
【図８】
0004037456.tif 000009
【図９】
0004037456.tif 000010